(57)【特許請求の範囲】
【請求項１】
複数の導線（３）を有するケーブル、特に連続的なフラットケーブル（２）の導線を接触接続させるためのコネクタ装置であって、前記導線が、それぞれ絶縁材によって取り囲まれており且つ上位に配置されたケーブルカバー（４）に埋設されており、ケーブル（２）を収容するためのベース区分（６）とカバー区分（７）とを有する、複数部分から成るケーシング（５）が設けられており、該ケーシングに絶縁スルーコンタクトが配置されている形式のものにおいて、
少なくとも１つの又は複数の楔形構造（３０，３６，３７）が設けられていることを特徴とする、マルチ導線ケーブル用のコネクタ装置。
【請求項２】
少なくとも１つの楔形構造（３０）がフラットバンドケーブルの配線用に構成されている、請求項１記載のコネクタ装置。
【請求項３】
フラットバンドケーブルの配線用の少なくとも１つの楔形構造（３０）が、有利には導線が接触接続するまで、フラットケーブルを絶縁スルーコンタクト（９）に被せ嵌めるために構成されており且つ／又は絶縁スルーコンタクト（９）をフラットバンドケーブルに被せ嵌めるために構成されている、請求項１又は２記載のコネクタ装置。
【請求項４】
少なくとも１つ又は複数の楔形構造（３６，３７）が、ケーブルの張力を軽減させるための装置の作動用に構成されている、請求項１から３までのいずれか１項記載のコネクタ装置。
【請求項５】
張力軽減が、フラットバンドケーブルの配線後に初めて作動されるように、配線用の楔形構造と、張力軽減用の楔形構造とが互いに調整されている、請求項１から４までのいずれか１項記載のコネクタ装置。
【請求項６】
カバー区分（７）が、全体的又は部分的にベース区分（６）に対して相対的に摺動可能である、請求項１記載のコネクタ装置。
【請求項７】
楔形構造（３６，３７）が、張力軽減のために各１つの楔面をスライドカバー（２８）の内側に有しており、配線時にこのスライドカバーの内側に沿って、支持板（２７）に設けられた張力軽減用のウェブ（３５）が滑動する、請求項１から６までのいずれか１項記載のコネクタ装置。
【請求項８】
ベース区分（６）が、複数の絶縁スルーコンタクトが配置されたベースプレート（８）を有している、請求項１から７までのいずれか１項記載のコネクタ装置。
【請求項９】
ベースプレート（８）がサイドウェブ（１２，１３）を有しており、これらのサイドウェブ間に接触接続しようとするフラットケーブル（２）が挿入可能である、請求項１から３までのいずれか１項記載のコネクタ装置。
【請求項１０】
絶縁スルーコンタクト（９）が、フラットケーブル（２）における分岐を実現するために別のコネクタと接続されている、請求項１から９までのいずれか１項記載のコネクタ装置。
【請求項１１】
前記の別のコネクタが直接差込み式圧縮ばねコンタクト（１４）として形成されている、請求項１から１０までのいずれか１項記載のコネクタ装置。
【請求項１２】
絶縁スルーコンタクトが、直接差込み式コンタクト（１４）と一緒にベースプレート（８）の収容室（１５）に挿入されている、請求項１から１１までのいずれか１項記載のコネクタ装置。
【請求項１３】
収容室（１５）が、フラットケーブル（２）の側に対して開いて形成されている、請求項１から１２までのいずれか１項記載のコネクタ装置。
【請求項１４】
収容室（１５）と絶縁スルーコンタクト（９）とが、フラットケーブル（２）の長手方向延在部の方向で互いにずらされて配置されている、請求項１から１３までのいずれか１項記載のコネクタ装置。
【請求項１５】
収容室（１５）が、上方から係合する保持プレート（１８）によって被覆されている、請求項１から１４までのいずれか１項記載のコネクタ装置。
【請求項１６】
保持プレート（１８）が係止手段（１９）を有しており、該係止手段が、ベースプレートに設けられた対応する係止手段（係止用切欠き２０）において係止可能である、請求項１から１５までのいずれか１項記載のコネクタ装置。
【請求項１７】
保持プレート（１８）に開口、特にスリット（２１）が設けられており、これらの開口又はスリットを介して絶縁スルーコンタクトが、組み込もうとするフラットケーブル（２）の方向に突出している、請求項１から１６までのいずれか１項記載のコネクタ装置。
【請求項１８】
保持プレート（１８）に取付け板（２２）が載置可能である、請求項１から１７までのいずれか１項記載のコネクタ装置。
【請求項１９】
取付け板（２２）が、フラットケーブル（２）の輪郭に対応した輪郭部（２３）を有している、請求項１から１８までのいずれか１項記載のコネクタ装置。
【請求項２０】
取付け板（２２）が第１の係止手段、特に係止ウェブ（２４）を有しており、該係止ウェブが、対応する係止手段、特に係止用切欠き（２５）における係止を可能にする、請求項１から１９までのいずれか１項記載のコネクタ装置。
【請求項２１】
取付け板（２２）に別の開口、特にスリット（２６）が設けられている、請求項１から２０までのいずれか１項記載のコネクタ装置。
【請求項２２】
取付け板（２２）が、未だ接触接続されていない状態で絶縁スルーコンタクト（９）が当該取付け板から突出しない高さでベースプレート（８）に載置可能である、請求項１から２１までのいずれか１項記載のコネクタ装置。
【請求項２３】
カバー区分が、支持板（２７）とスライドカバー（２８）とを有する操作ユニットとして形成されている、請求項１から２２までのいずれか１項記載のコネクタ装置。
【請求項２４】
スライドカバー（２８）がベースプレート（８）に沿って摺動可能に案内されている、請求項１から２３までのいずれか１項記載のコネクタ装置。
【請求項２５】
支持板（２７）が、ベース区分の輪郭と協働する輪郭を有しており、これにより、支持板（２７）が組み込まれた状態で配線前はフラットケーブル（２）に対して垂直方向で絶縁スルーコンタクト（９）に向かって可動であるが、フラットケーブル（２）の延在部に対して平行な方向にはほぼ運動しない、請求項１から２４までのいずれか１項記載のコネクタ装置。
【請求項２６】
支持板（２７）に、絶縁スルーコンタクト（９）のための切欠き及び／又は開口（３０）が設けられている、請求項１から２５までのいずれか１項記載のコネクタ装置。
【請求項２７】
スライドカバー（２８）が、ベースプレート（８）の側方に下方から係合するサイドウェブ（３１）を有している、請求項１から２６までのいずれか１項記載のコネクタ装置。
【請求項２８】
スライドカバー（２８）と支持板（２７）との間に、楔形構造を実現するために少なくとも１つの、有利には複数の楔形部材若しくは楔形輪郭部（３２，３４）が形成されている、請求項１から２７までのいずれか１項記載のコネクタ装置。
【請求項２９】
フラットケーブル（２）に対して平行にスライドカバー（２８）をベースプレート（８）に被せ嵌める際に、スライドカバーが支持板（２７）を、フラットケーブル（２）と場合によっては取付け板（２２）と共に、フラットケーブル（２）に対して垂直方向で絶縁スルーコンタクト（９）に対して押圧し、これにより、絶縁スルーコンタクト（９）がまず最初に取付け板を、次いでケーブルカバー（４）及び導線絶縁材を貫通／穿刺し、これにより、個々の導線（３）が接触接続されるように、楔形部材（３２，３４）が構成されている、請求項１から２８までのいずれか１項記載のコネクタ装置。
【請求項３０】
楔形部材が、フラットケーブル（２）に対して一定の傾斜角（α）を有している、請求項１から２９までのいずれか１項記載のコネクタ装置。
【請求項３１】
スライドカバー（２８）の摺動時に、支持板（２７）と絶縁スルーコンタクト（９）とが互いに接近させられ、これにより、絶縁スルーコンタクト（９）がフラットケーブル（２）と接触接続するように、楔形部材（３２，３４）が構成されている、請求項１から３０までのいずれか１項記載のコネクタ装置。
【請求項３２】
支持板（２７）に、フラットケーブル（２）に対して直交して延びる張力軽減装置のウェブ（３５）が形成されており、該ウェブが接触接続後に、スライドカバー（２８）とフラットケーブル（２）との間で、フラットケーブル（２）に対する張力を軽減するように緊締される、請求項１から３１までのいずれか１項記載のコネクタ装置。
【請求項３３】
絶縁スルーコンタクト（９）がそれぞれダブル先端部（１０，１１）を有している、請求項１から３２までのいずれか１項記載のコネクタ装置。
【請求項３４】
配線された状態で、符号化されたフラットバンドケーブルの複数の導線の内の１本又は複数本が、それぞれ部分的（部分領域３９）に分断されており、これらの導線のためには、複数の絶縁スルーコンタクト（９）が当該導線の両端部を接触接続するために設けられている、請求項１から３３までのいずれか１項記載のコネクタ装置。
【請求項３５】
ケーブルが、有利には２本の外側の導線（３ａ，３ｂ）を有するフラットバンドケーブル（２）であり、前記導線が、ツイステッドペア技術で互いに捻られており、互いに捻られた導線（３ａ，３ｂ）が、ケーブルカバーの拡幅された符号化領域（３８）に配置されている、請求項１から３４までのいずれか１項記載のコネクタ装置。
【請求項３６】
請求項１から３５までのいずれか１項記載のコネクタ装置のためのフラットケーブルにおいて、ケーブルが、有利には２本の外側の導線（３ａ，３ｂ）を有するフラットバンドケーブル（２）であり、前記導線が、ツイステッドペア技術で互いに捻られており、互いに捻られた導線（３ａ，３ｂ）が、ケーブルカバーの拡幅された符号化領域（３８）に配置されていることを特徴とする、フラットケーブル。
【発明の詳細な説明】
【技術分野】
【０００１】
本発明は、複数の導線を有するケーブル、特に連続的なフラットケーブルの導線を接触接続させるためのコネクタ装置であって、前記導線が、場合によってはそれぞれ絶縁材によって取り囲まれており且つ上位に配置されたケーブルカバーに埋設されており、ケーブルを収容するためのベース区分とカバー区分とを有する、複数部分から成るケーシングが設けられており、該ケーシングに絶縁スルーコンタクト、特に穿孔コンタクト（９）が配置されている形式のものに関する。
【０００２】
更に本発明は、請求項１から３５までのいずれか１項記載のコネクタ装置のためのフラットケーブルに関する。
【背景技術】
【０００３】
このような形式のコネクタ装置は、絶縁スルーコンタクトを備えたものも、ドイツ連邦共和国特許第３４２２６０７号明細書及びドイツ連邦共和国特許出願公開第４４０２８３７号明細書から自体公知である。
【０００４】
フラットケーブルの端部のためのコネクタ装置は、米国特許第５４２９５２６号明細書、ドイツ連邦共和国特許出願公開第４４３６８２９号明細書、ドイツ連邦共和国実用新案第９２１０３３３号明細書、米国特許第４２５２３９６号明細書及び米国特許第５０７６８０１号明細書に開示されている。
【０００５】
更に、特に比較的多数の導線を有するフラットケーブルの迅速且つ確実な配線に関しても、改良の要求が生じている。
【特許文献１】ドイツ連邦共和国特許第３４２２６０７号明細書
【特許文献２】ドイツ連邦共和国特許出願公開第４４０２８３７号明細書
【特許文献３】米国特許第５４２９５２６号明細書
【特許文献４】ドイツ連邦共和国特許出願公開第４４３６８２９号明細書
【特許文献５】ドイツ連邦共和国実用新案第９２１０３３３号明細書
【特許文献６】米国特許第４２５２３９６号明細書
【特許文献７】米国特許第５０７６８０１号明細書
【発明の開示】
【発明が解決しようとする課題】
【０００６】
本発明の課題は、特に比較的多数の導線を有するフラットケーブルの迅速且つ確実な配線の問題を解決することである。
【課題を解決するための手段】
【０００７】
この課題を解決するために本発明では、少なくとも１つの又は複数の楔形構造が設けられているようにした。
【発明の効果】
【０００８】
特に有利には、複数の楔形構造の内の少なくとも１つが、フラットバンドケーブルの配線のために構成されており、特に、当該楔形構造は、有利には導線が接触接続するまでフラットケーブルを絶縁スルーコンタクトに被せ嵌めるために構成されており且つ／又は絶縁スルーコンタクトをフラットバンドケーブルに被せ嵌めるために構成されている。
【０００９】
前記楔形構造により、比較的高い接続力を簡単に実現することができるので、マルチ導線ケーブルも唯一回の運動だけで確実に接触接続される。
【００１０】
更に有利には、少なくとも１つの又は複数の楔構造が、ケーブルの張力を軽減させるための装置の作動用に構成されている。このように、有利な楔操作技術は張力軽減の課題のためにも利用される。このことは、有利には複数の楔形構造が張力軽減のために各１つの楔面をスライドカバーの内側に有しており、このスライドカバーの内側に沿って、配線時に張力軽減用のウェブがそれぞれ滑動するように行われる。
【００１１】
更に、配線が難しくなることを防ぐためには、有利には配線用の楔形構造と張力軽減用の楔形構造とが、フラットバンドケーブルの配線後に初めて張力軽減が作動されるように互いに調整されている。
【００１２】
特に有利には、楔形構造の楔の相対的な摺動を高いてこ力で実施するのに適したねじ回しが、接触接続のために使用される。
【００１３】
この場合、楔形構造の楔は、フラットケーブルが、場合によっては（以下で説明する）別のエレメントと一緒に絶縁スルーコンタクトに対して押圧されるように構成されている。
【００１４】
特に有利には、ケーシングが複数部分から構成されており且つベース区分とカバー区分とを有しており、これらのベース区分及びカバー区分も、やはり複数部分から構成されている。ベース区分及びカバー区分の全ての部分をプレート状に形成することが可能なので、ケーシング全体が比較的平らに構成される。
【００１５】
この場合有利には、ベースプレートに沿って摺動可能にガイドされており且つ内側に支持板の楔と協働する楔を有するスライドカバーが設けられており、しかも、前記支持板はケーブルと、該ケーブルのための取付け板と共にユニットとして、絶縁スルーコンタクトに対して押圧される。この構成はコンパクトであると同時に、更に特に確実な配線を実現する。
【００１６】
別の有利な構成は従属請求項に記載されている。
【発明を実施するための最良の形態】
【００１７】
以下に、本発明を実施するための最良の形態を図面につき詳しく説明する。
【００１８】
図１に分解図で示したコネクタ装置１は、フラットケーブル２の接触接続用に設計されており、このフラットケーブル２は一般に複数の導線３を有しており、これらの導線３は、場合によってはそれぞれ絶縁材により取り囲まれており且つ上位に配置されたケーブルカバー４に埋め込まれている。前記フラットケーブルは、例えばエレベータシャフトに敷設されるフラットケーブルであってよい。
【００１９】
コネクタ装置は複数部分から成るケーシング５を有しており、このケーシング５はベース区分６とカバー区分７とを有しており、これらの両区分もやはり有利には複数部分から形成されている。
【００２０】
つまり、ベース区分６はベースプレート８を有しており、このベースプレート８には複数の絶縁スルーコンタクトが配置されており、これらの絶縁スルーコンタクトは本実施例では穿孔コンタクト９として形成されているが、切断コンタクトとして形成されていてもよい。
【００２１】
本実施例ではベースプレート８に複数の穿孔コンタクト９が配置されており、この場合、これらの穿孔コンタクト９は有利にはそれぞれ互いに角度を成して向けられた、交差するダブル先端部１０，１１（図５ｂ参照）を有しており、これらのダブル先端部１０，１１は、絶縁貫通（スルー）作用を高めるために補足的に切断エッジを設けられていてよく、これにより、接触接続しようとするフラットケーブルの個々の導線の、特に確実な接触接続が保証されることになる。
【００２２】
ベースプレート８は互いに平行な２つのサイドウェブ１２，１３を有しており、これらのサイドウェブ１２，１３は、以下で詳しく説明する保持板１８のためのガイドを実現する。本実施例では、サイドウェブはフラットケーブル２よりも高いので、当該サイドウェブは組み込まれたフラットケーブル２の側縁を越えて突出する。
【００２３】
絶縁スルーコンタクト９は、有利にはフラットケーブル２におけるＴ字形の分岐を実現するために、それぞれ別のコネクタと接続されている。これらの別のコネクタは、本実施例では例えば特に迅速且つ簡単に接触接続可能な直接差込み式圧縮ばねコンタクト１４として形成されている（図５ｂ参照）が、引張りばねコンタクト、ＩＤＣコンタクト、ねじコンタクトとして形成されているか、又は別の形式（図示せず）で形成されていてもよい。
【００２４】
絶縁スルーコンタクト９は、その先端部１０，１１で以てベースプレート８からフラットケーブル２の側面に向かって突出する。
【００２５】
この場合に実現される簡単な組込み形式に従って、絶縁スルーコンタクトは直接差込み式コンタクト１４と共にそれぞれベースプレート８の収容室１５に挿入される。これらの収容室１５はフラットケーブル２の側面に対して開いて形成されており、これにより、絶縁スルーコンタクト９は組込み時に前記側面の側から収容室１５に挿入可能である。
【００２６】
収容室１５のフラットケーブル２とは反対の側には別の開口が設けられており、これらの開口は、分岐導線１７（図２参照；場合によってはフラットケーブルとしてもまとめられる）及び／又は分岐コンタクトを操作するための操作工具（開口１６、図５）が当該収容室１５に挿入可能であるように構成されている。この場合、前記開口１６は更に、絶縁スルーコンタクト（特に穿孔コンタクト）９が収容室１５から脱落不能であるように構成されている。本実施例では、分岐導線１７用にベースプレート８のフラットケーブル２とは反対の側に複数の空間３３が設けられている。
【００２７】
収容室１５と、接触接続しようとするフラットケーブル２の異なる導線のための絶縁スルーコンタクトとは、それぞれフラットコンタクト２の長手方向延在部の方向で、互いにややずらされて配置されていてよいので、個々のＩＤＣコンタクトは、フラットケーブル２の導線間隔よりやや広幅であってよい。このようにして、本実施例では例えば１１個の穿孔コンタクト９が狭いスペースに収納されている。
【００２８】
絶縁スルーコンタクト９を収容室１５から脱落不能にするためには、収容室１５が上方から係合する保持プレート１８によって被覆される。この保持プレート１８は、第１の係止手段（本実施例では係止ウェブ１９）を有していてよく、この第１の係止手段は、ベースプレートの対応する第２の係止手段（本実施例では係止用切欠き２０）と相俟って係止可能である。
【００２９】
保持プレート１８には複数の開口、特にスリット２１が設けられており、これらのスリット２１からは、それぞれ絶縁スルーコンタクトが組み込もうとするフラットケーブル２に向かって突出する。
【００３０】
保持プレート１８には、フラットケーブルを取り付けるための、本実施例では任意の取付け板２２を載置することができ、この取付け板２２は、有利には接触接続しようとするフラットケーブルのカバーの輪郭に対応する輪郭部２３を有しているので、フラットケーブルは当該輪郭部２３において良好に位置調整及びセンタリングされ、このことは確実な接触接続のために有利である。
【００３１】
本実施例では、取付け板２２も第１の係止手段（本実施例では係止ウェブ２４）を有しており、この第１の係止手段は、対応するベースプレート８の係止手段における係止を可能にする。
【００３２】
更に、取付け板２２にはやはり複数の開口、特にスリットが設けられており、これらの開口からは、それぞれ接触接続状態の絶縁スルーコンタクト９が突出する。
【００３３】
接触接続していない状態では、取付け板２２はまだ絶縁スルーコンタクト９が当該取付け板２２から突出しない高さでベースプレート８に載置されているので、フラットケーブルが載着可能である。取付け板２２はフラットケーブルに対して垂直な接触接続のために、ベースプレート８に向かって摺動可能である。
【００３４】
保持プレート１８と取付け板２２とは一体に形成されていてもよい（図示せず）。
【００３５】
接触接続のためには、フラットケーブル２がまず予め組み込まれたケーシングのベース区分の取付け板２２に嵌め込まれ、これにより、フラットケーブル２は確実にセンタリングされて、絶縁スルーコンタクト９のダブル先端部１０，１１のすぐ上に位置している（図２；図５）。
【００３６】
次いでフラットケーブルの本来の接触接続が、カバー区分７によって行われる。このカバー区分７は、操作ユニットとしても働き且つベース区分に対して相対的に摺動可能にガイドされている。
【００３７】
前記操作ユニットは、フラットケーブル２を取り付けるベース区分に載置可能な支持板２７と、スライドカバー２８とから成っている。
【００３８】
支持板２７は所定の輪郭部（本実施例では側方のウェブ２９）を有しており、この輪郭部はベース区分の輪郭部（特にサイドウェブ１２，１３）と協働して、支持板２７が組み込まれた状態で、接続前にフラットケーブル２に対して垂直方向で絶縁スルーコンタクト９に向かっては可動であるが、フラットケーブル２の延在部に対して平行な方向では運動しない、又はほぼ運動しないようにする。
【００３９】
次いで、本来の接触接続がスライドカバー２８によって行われる。このスライドカバー２８は、ベース区分、特にベースプレート８に摺動可能に保持されている。
【００４０】
このためには、スライドカバー２８はサイドウェブ３１を有しており、これらのサイドウェブ３１は、それぞれベースプレート８の側方に設けられたウェブ４０に直接に下方係合する（図８）か、又はベースプレート８と溝／キー構造の形式で協働する。
【００４１】
このようにして、スライドカバー２８はフラットケーブルの長手方向でベース区分に沿って摺動可能にガイドされている（図２〜図７参照）。
【００４２】
重要なのは、スライドカバー２８と支持板２７との間に、楔形部材若しくは楔形輪郭部を備えた少なくとも１つの、又は有利には複数の楔形構造３０，３６，３７が形成されているということである。
【００４３】
第１の楔形構造３０の楔形部材３２，３４は、スライドカバー２８をフラットケーブル２に対して平行にベースプレートに被せ嵌める際に、当該スライドカバー２８が支持板２７を、フラットケーブル２及び取付け板２２と一緒にフラットケーブル２に対して垂直方向で絶縁スルーコンタクト９に対して押圧するように構成されている。このことは、絶縁スルーコンタクト９がまず最初に取付け板２２を、次いでケーブルカバー４及び導線絶縁材を貫通／穿刺してから、個々の導線３に接触接続するということを生ぜしめる。
【００４４】
この場合、楔形部材３２，３４はスライドカバー２８の下位に接触する（図６）。
【００４５】
楔形部材３２，３４は、フラットケーブル２に対して一定の傾斜角αを有していてよい。但し、この傾斜角若しくは楔角αは、フラットケーブル２の長手方向で可変に構成されていてもよい（図示せず）。
【００４６】
つまり、理論的には平らな楔の代わりに、湾曲した上面を有する楔が使用されてもよい。
【００４７】
重要なのは、楔形部材３２，３４により、スライドカバー２８の摺動時に支持板２７と絶縁スルーコンタクト９とが互いに接近させられ、これにより、絶縁スルーコンタクト９がフラットケーブル２に接触接続するということである。
【００４８】
補足的に、支持板２７にはフラットケーブル２に対して直交して延びる少なくとも１つのウェブ３５が形成されており、該ウェブ３５は、接触接続後にねじ回しが更に旋回されると（図７）、スライドカバー２８とフラットケーブル２との間で緊締され、これにより、フラットケーブル２は張力軽減形式で、支持板２７とケーシング５のベース区分６との間に確実に緊締されている。
【００４９】
前記張力軽減装置を作動させるためには、別の楔形構造３６，３７が各１つの楔面を備えて、スライドカバー２８の内側に設けられており、このスライドカバー２８の内側に沿って前記ウェブ３５が滑動する。この場合、楔形構造３０，３６，３７は、張力軽減がフラットバンドケーブルの配線後に初めて作動されるように、互いに調整されている。
【００５０】
配線過程は図２〜図４及び図５〜図７に示されている。配線は、有利にはねじ回しを用いて行われる。このねじ回しは、スライドカバー２８の切欠き３６に挿入可能であり且つその先端部をベースプレートで支持可能であり（図８参照）、しかも、当該ねじ回しにより有利には迅速且つ簡単に、唯一回の旋回運動によってフラットケーブル２の配線を行うことができる。この場合、連続するフラットケーブル２に分岐を形成するためには、分岐導線１７を接続するだけでよい。
【００５１】
必要に応じて取り外す場合も、やはりねじ回しが用いられる（図示せず）。
【００５２】
配線に有利なケーブルが、図９及び図１０に示されている。図９に示したフラットケーブル２は図１に示したフラットケーブル２に対応する。このフラットケーブル２とは異なり、図１０に示した符号化されたフラットバンドケーブルは、それぞれ２本の導線３ａ，３ｂが、いずれにしても部分的に（少なくとも配線しようとする範囲まで）「ツイステッドペア技術」で互いに捻られており、このことは図１０ｃ，図１０ｄ，図１０ｅに示した断面図及び正面図から明らかである。
【００５３】
有利には、互いに捻られた導線３ａ，３ｂが、ケーブルカバーの拡幅された符号化領域３８に配置されており、この符号化領域３８は符号化形式で構成されているので、常に当該ケーブルの正しい配線を可能にする。
【００５４】
配線時には、符号化されたフラットバンドケーブルの複数の導線の内の１本又は複数本が部分的に（部分領域３９）分断され、これにより、所定の電子機器が分断された２つの端部間に接続される。これに対応して、当該導線のためには複数の穿孔コンタクト９が、当該導線の両端部に接触接続するために設けられている。
【図面の簡単な説明】
【００５５】
【図１】本発明によるコネクタ装置の分解図である。
【図２】図１に示した形式のコネクタ装置とフラットケーブルとの接触接続の第１ステップを示した斜視図である。
【図３】図１に示した形式のコネクタ装置とフラットケーブルとの接触接続の第２ステップを示した斜視図である。
【図４】図１に示した形式のコネクタ装置とフラットケーブルとの接触接続の第３ステップを示した斜視図である。
【図５】図５ａ及び図５ｂは、フラットケーブルの、図１に示したコネクタ装置との接触接続の別のステップを示した断面図及び拡大断面図である。
【図６】図６ａ及び図６ｂは、フラットケーブルの、図１に示したコネクタ装置との接触接続の別のステップを示した断面図及び拡大断面図である。
【図７】図７ａ、図７ｂ及び図７ｃは、フラットケーブルの、図１に示したコネクタ装置との接触接続の別のステップを示した断面図及び拡大断面図である。
【図８】コネクタ装置の断面図である。
【図９】図９ａ〜図９ｅは、本発明の枠内での使用に特に適した異なるフラットケーブルの図及びこれらのフラットケーブルの断面図である。
【図１０】図１０ａ〜図１０ｅは、本発明の枠内での使用に特に適した異なるフラットケーブルの図及びこれらのフラットケーブルの断面図である。
【符号の説明】
【００５６】
１  コネクタ装置、  ２  フラットケーブル、  ３，３ａ，３ｂ  導線、  ４  ケーブルカバー、  ５  ケーシング、  ６  ベース区分、  ７  カバー区分、  ８  ベースプレート、  ９  穿孔コンタクト、  １０，１１  ダブル先端部、  １２，１３  サイドウェブ、  １４  直接差込み式圧縮ばねコンタクト、  １５  収容室、  １６  開口、  １７  分岐導線、  １８  保持プレート、  １９，２４  係止ウェブ、  ２０，２５  係止用切欠き、  ２１  スリット、  ２２  取付け板、  ２７  支持板、  ２８  スライドカバー、  ２９  ウェブ、  ３０，３６，３７  楔形構造、  ３１  サイドウェブ、  ３２，３４  楔形輪郭部、  ３３  空間、  ３５，４０  ウェブ、  ３８  符号化領域、  ３９  部分領域、  α  傾斜角
【図１】
0004838755.tif 000002
【図２】
0004838755.tif 000003
【図３】
0004838755.tif 000004
【図４】
0004838755.tif 000005
【図５】
0004838755.tif 000006
【図６】
0004838755.tif 000007
【図７】
0004838755.tif 000008
【図８】
0004838755.tif 000009
【図９】
0004838755.tif 000010
【図１０】
0004838755.tif 000011